(57)【特許請求の範囲】
【請求項１】
切断装置であって、第１のブレード(２)と第１のブレード(２)に対して円運動を行うブレード支持機構とを含み、前記ブレード支持機構には第２のブレード(４)が取り付けられ、前記第１のブレード(２)には、切断溝(５)が設けられ、前記第２のブレード(４)及び／又は切断溝(５)には切断面(６)が設けられており、
前記切断溝(５)は、前記第２のブレード(４)の形状に合わせて設けられているものであり、
前記ブレード支持機構の第１のブレード(２)に対する円運動に伴って前記第２のブレード（４）は、前記切断溝（５）内からスライドし、
前記ブレード支持機構は、駆動軸(１)を含み、前記駆動軸(１)には１つ以上のブレード支持フレーム(３)が取り付けられ、前記ブレード支持フレーム(３)には第２のブレード(４)が取り付けられており、
前記ブレード支持フレーム(３)は、支持軸(７)を含み、前記支持軸(７)にはブレード取付フレーム(８)が取り付けられ、前記ブレード取付フレーム(８)には第２のブレード(４)が取り付けられ、かつ相隣する２つの前記ブレード支持フレーム(３)におけるブレード取付フレーム(８)の間の夾角が１２−６０°であることを特徴とする切断装置。
【請求項２】
前記支持軸(７)には、等距離で３つのブレード取付フレーム(８)が設けられていることを特徴とする請求項１に記載の切断装置。
【請求項３】
前記駆動軸(１)の半径の延長線と第２のブレード(４)との間の夾角が１０−４５°であることを特徴とする請求項１に記載の切断装置。
【請求項４】
前記第２のブレード(４)は、弧形の第２のブレードを採用し、前記第１のブレード(２)には弧形の切断溝が設けられていることを特徴とする請求項１に記載の切断装置。
【請求項５】
前記第２のブレード(４)は、三角状の第２のブレードを採用し、前記第１のブレード(２)には、三角状の切断溝が設けられていることを特徴とする請求項１に記載の切断装置。
【請求項６】
前記第２のブレード(４)は、矩形状の第２のブレードを採用し、前記第１のブレード(２)には矩形状の切断溝が設けられていることを特徴とする請求項１に記載の切断装置。
【発明の詳細な説明】
【技術分野】
【０００１】
本発明は切断装置に関する。
【背景技術】
【０００２】
芝刈り機は、芝生、植物などを切る工作機械であり、それは、カッター、モータ、走行輪、走行機構、ブレード、ハンドル、制御部分からなる。現在、市場では、芝刈り機における切断装置は、以下のような種類に分かれる。１、駆動軸には切断バー又はロープを取り付け、例えば、特許番号：ＣＮ２０１２１０００２４０２．６、発明の名称：芝刈り機組合せ刃具において、駆動軸の急速回転により切断バー又はロープを駆動して草刈りを行う。この草刈り方式を採用すると、駆動力が大きく、エネルギー消費が高く、切断面が不規則であり、かつ植物を損傷しやすい。２、駆動軸には切断刃を取り付け、例えば、特許番号：ＣＮ２０１２１０４９６２８６．８、発明の名称：芝刈り機の切断装置および切断装置の取付方法において、駆動軸の急速回転により切断刃を駆動して草刈りを行う。この草刈り方式を採用すると、同様に、駆動力が大きく、エネルギー消費が高く、切断面が不規則であり、かつ植物を損傷しやすい。３、剪刀式切断であって、例えば、特許番号：ＣＮ２０１３１０２５６８６６．４、発明の名称：二重ブレードの芝刈り機において、２枚の重ね合せ式の切断ブレードを使用して切断する。この切断方式を採用すると、切断した切断物が収集し難く、２枚のブレードには隙間があり、損傷しやすい。４、ローラ式切断であって、例えば、特許番号：ＣＮ２０１１１０４３１９９４．９、発明の名称：ホブカッタ式の芝刈り機構、ホブカッタにより切断する。この切断方式を採用すると、製造コストが高く、製造精度の要求が高く、切断長さは、ホブカッタの高さに制限され、非常に長い植物を切断することができない。
【発明の概要】
【発明が解決しようとする課題】
【０００３】
本発明は、構成が簡単であり、同じ切断面積では、その駆動力が大幅に低減し、エネルギー消費を減少すると共に、操作しやすく、省力化し、切断効率が高く、切断断面が規則的であり、植物を切断する時に植物の損傷を最低限に低下させ、切断した切断物を収集しやすい切断装置を提供することを目的とする。
【課題を解決するための手段】
【０００４】
上記目的を実現するために、本発明は、以下の技術案を採用する。
【０００５】
切断装置であって、第１のブレードと第１のブレードに対して円運動を行うブレード支持機構とを含み、前記ブレード支持機構には第２のブレードが取り付けられ、前記第１のブレードには切断溝が開設され、前記第２のブレード及び／又は切断溝には切断面が設けられている。
【０００６】
前記ブレード支持機構は、駆動軸を含み、前記駆動軸には１つ以上のブレード支持フレームが取り付けられ、前記ブレード支持フレームには第２のブレードが取り付けられている。
【０００７】
前記ブレード支持フレームは、支持軸を含み、前記支持軸にはブレード取付フレームが取り付けられ、前記ブレード取付フレームには第２のブレードが取り付けられ、かつ相隣する２つの前記支持フレームにおけるブレード取付フレームの間の夾角が０−６０°である。
【０００８】
前記支持軸には、等距離で３つのブレード取付フレームが設けられている。
【０００９】
前記駆動軸の半径延長線と第２のブレードとの間の夾角が１０−４５°である。
【００１０】
前記第２のブレードは、孤形の第２のブレードを採用し、前記第１のブレードには孤形の切断溝が開設されている。
【００１１】
前記第２のブレードは、三角状の第２のブレードを採用し、前記第１のブレードには、三角状の切断溝が開設されている。
【００１２】
前記第２のブレードは、第２のブレードを採用し、前記第１のブレードには矩形状の切断溝が開設されている。
【００１３】
本発明の有益な効果は、以下の通りである。切断装置は、構成が簡単であり、同じ切断面積では、その駆動力が大幅に低減し、エネルギー消費を減少すると共に、操作しやすく、省力化し、切断効率が高く、切断断面が規則的であり、植物を切断する時に植物の損傷を最低限に低下させ、切断した切断物を収集しやすい。
【図面の簡単な説明】
【００１４】
【図１】図１は、第１の実施例の構成を模式的に示す図である。
【図２】図２は、図１に示す切断装置の切断を模式的に示す図である。
【図３】図３は、第２実施例の構成を模式的に示す図である。
【図４】図４は、図３に示す切断装置の切断を模式的に示す図である。
【図５】図５は、第３実施例の構成を模式的に示す図である。
【図６】図６は、図５に示す切断装置の切断を模式的に示す図である。
【発明を実施するための形態】
【００１５】
実施例１
図１、図２に示すように、切断装置であって、駆動軸１と第１のブレード２を含み、前記駆動軸１と第１のブレード２とは、それぞれ、切断機に取り付けられている。前記駆動軸１には、８つ以上のブレード支持フレーム３が取り付けられ、前記ブレード支持フレーム３には第２のブレード４が取り付けられ、前記第１のブレード２には切断溝５が開設され、前記第２のブレード４と切断溝５には、それぞれ切断面６が開設されている。前記第２のブレード４は、弧形の第２のブレードを採用し、前記第１のブレード２には弧形の第２のブレードに配合して使用する弧形の切断溝が開設されている。
【００１６】
前記ブレード支持フレーム３は、支持軸７を含み、前記支持軸７には、ブレード取付フレーム８が取り付けられ、前記ブレード取付フレーム８には、第２のブレード４が取り付けられ、かつ前記相隣する２つの支持フレーム３におけるブレード取付フレーム８の間の夾角がαであり、αが１２°である。前記支持軸７には、等距離で３つのブレード取付フレーム８が取り付けられている。前記駆動軸１の半径延長線と第２のブレード４との間の夾角は、βであり、βが１０°である。
【００１７】
本実施例に記載の切断装置は、草又は植物を切断する時に、草又は植物が弧形の切断溝５にあり、駆動軸１は、ブレード支持フレーム３を駆動して円運動を行い、ブレード取付フレーム８に取り付けられる弧形の第２のブレード４は、弧形の切断溝５内からスライドし、切断溝５と第２のブレード４との間の挟持力により草又は植物を切断する。
【００１８】
本実施例に係る切断装置は、構成が簡単であり、同じ切断面積では、その駆動力が大幅に低減し、エネルギー消費を減少すると共に、操作しやすく、省力化し、切断効率が高く、切断断面が規則的であり、植物を切断する時に植物の損傷を最低限に低下させ、切断した切断物を収集しやすい。
【００１９】
実施例２
図３に示すように、切断装置であって、駆動軸１と第１のブレード２を含み、前記駆動軸１と第１のブレード２とは、それぞれ切断機に取り付けられる。前記駆動軸１には、８つ以上のブレード支持フレーム３が取り付けられ、前記ブレード支持フレーム３には第２のブレード４が取り付けられ、前記第１のブレード２には切断溝５が開設され、前記第２のブレード４には切断面６が開設されている。前記第２のブレード４は、三角状の第２のブレードを採用し、前記第１のブレード２には弧形の第２のブレードに配合して使用する三角状の切断溝が開設されている。
【００２０】
前記ブレード支持フレーム３は、支持軸７を含み、前記支持軸７には、ブレード取付フレーム８が取り付けられ、前記ブレード取付フレーム８には第２のブレード４が取り付けられ、かつ前記相隣する２つの支持フレーム３におけるブレード取付フレーム８間の夾角は、αであり、αが３０°である。前記支持軸７には、等距離で３つのブレード取付フレーム８が取り付けられている。前記駆動軸１の半径延長線と第２のブレード４との間の夾角は、βであり、βが３５°である。
【００２１】
本実施例に記載の切断装置は、草又は植物を切断する時に、草又は植物が三角状の切断溝５にあり、駆動軸１は、ブレード支持フレーム３を駆動して円運動を行い、ブレード取付フレーム８に取り付けられる三角状の第２のブレード４は、三角状の切断溝５内からスライドし、切断溝５と第２のブレード４との間の挟持力により草又は植物を切断する。
【００２２】
本実施例に係る切断装置は、構成が簡単であり、同じ切断面積では、その駆動力が大幅に低減し、エネルギー消費を減少すると共に、操作しやすく、省力化し、切断効率が高く、切断断面が規則的であり、植物を切断する時に植物の損傷を最低限に低下させ、切断した切断物を収集しやすい。
【００２３】
実施例３
図４に示すように、切断装置であって、駆動軸１と第１のブレード２を含み、前記駆動軸１と第１のブレード２とは、それぞれ切断機に取り付けられている。前記駆動軸１には、８つ以上のブレード支持フレーム３が取り付けられ、前記ブレード支持フレーム３には第２のブレード４が取り付けられ、前記第１のブレード２には切断溝５が開設され、前記切断溝５には切断面６が開設されている。前記第２のブレード４は、矩形状の第２のブレードを採用し、前記第１のブレード２には、矩形状の第２のブレードに配合して使用する矩形状の切断溝が開設されている。
【００２４】
前記ブレード支持フレーム３は、支持軸７を含み、前記支持軸７にはブレード取付フレーム８が取り付けられ、前記ブレード取付フレーム８には、第２のブレード４が取り付けられ、かつ前記相隣する２つの支持フレーム３におけるブレード取付フレーム８の間の夾角は、αであり、αが６０°である。前記支持軸７には、等距離で、３つのブレード取付フレーム８が取り付けられている。前記駆動軸１の半径延長線と第２のブレード４との間の夾角は、βであり、βが４５°である。
【００２５】
本実施例に記載の切断装置は、草又は植物を切断する時に、草又は植物が矩形状の切断溝５にあり、駆動軸１は、ブレード支持フレーム３を駆動して円運動し、ブレード取付フレーム８に取り付けられた矩形状の第２のブレード４は、矩形状の切断溝５内からスライドし、切断溝５と第２のブレード４との間の挟持力により草又は植物を切断する。
【００２６】
本実施例に係る切断装置は、構成が簡単であり、同じ切断面積では、その駆動力が大幅に低減し、エネルギー消費を減少すると共に、操作しやすく、省力化し、切断効率が高く、切断断面が規則的であり、植物を切断する時に植物の損傷を最低限に低下させ、切断した切断物を収集しやすい。
【図１】
0006553659.tif 000002
【図２】
0006553659.tif 000003
【図３】
0006553659.tif 000004
【図４】
0006553659.tif 000005
【図５】
0006553659.tif 000006
【図６】
0006553659.tif 000007